(57)【要約】【課題】特殊な機構を有していない単なる棒などの指示部材により指示された座標の検知を可能にし、操作性を向上させるとともにコストを抑える。【解決手段】情報を表示するディスプレイ２００と、ディスプレイ２００の周縁部に設けられ、ディスプレイ面２に沿って出射面から光を出射する発光素子１０と、出射面に対向する位置に発光素子１０から出射される光が入射される入射開口面３１と、入射開口面３１から入射して内部を伝播した光を出射させる出射開口面３２とを有し、空気より屈折率が高い配光制御部材３０と、ディスプレイ２００の周縁部に出射開口面３２に対向する位置に設けられ、出射開口面３２から出射された光を受光する受光素子とを備え、配光制御部材３０は、出射開口面３２の面積が入射開口面３１の面積より小さい。【選択図】図２
2016103090.tif 000002
【特許請求の範囲】
【請求項１】
情報を表示する表示部と、
前記表示部の周縁部に設けられ、前記表示部の表示面に沿って出射面から光を出射する発光素子と、
前記出射面に対向する位置に前記発光素子から出射される光が入射される入射開口面と、前記入射開口面から入射して内部を伝播した光を出射させる出射開口面とを有し、空気より屈折率が高い配光制御部材と、
前記表示部の周縁部に前記出射開口面に対向する位置に設けられ、前記出射開口面から出射された光を受光する受光素子と、を備え、
前記配光制御部材は、前記出射開口面の面積が前記入射開口面の面積より小さい座標検知装置。
【請求項２】
前記配光制御部材は、前記出射開口面における前記表示面の交差方向の長さは、前記入射開口面における前記表示面の交差方向の長さより短い請求項１に記載の座標検知装置。
【請求項３】
前記配光制御部材は、前記入射開口面の面積が前記発光素子の前記出射面の面積以上である請求項１または２に記載の座標検知装置。
【請求項４】
前記配光制御部材は、前記入射開口面と前記出射開口面とに交差する面が台形となるように形成されている請求項２または３に記載の座標検知装置。
【請求項５】
前記表示部は、四角形状で形成され、
前記発光素子は、前記表示部の隣接する２つの周縁部に設けられ、
前記受光素子は、前記発光素子が設けられた２つの周縁部にそれぞれ対向する２つの周縁部に設けられている請求項１〜４のいずれか一つに記載の座標検知装置。
【請求項６】
前記配光制御部材の前記表示面に接する底面と対向する天面に接して設けられ、前記配光制御部材の内部から外部に向かう光を遮光する遮光部材をさらに備えた請求項１〜５のいずれか一つに記載の座標検知装置。
【発明の詳細な説明】
【技術分野】
【０００１】
本発明は、座標検知装置に関する。
【背景技術】
【０００２】
従来から、指やペンなどの指示部材によってタッチする（触れる）ことによって、情報の入力や選択を行うタッチパネル方式の座標検知装置がある。
【０００３】
例えば、ペンなどの指示部材がディスプレイ面（表示面）に近接したときに、再帰反射板から返る照明光が指示部材によって遮断されることによって生じる影の位置をセンサ等で検知し、その検知結果および三角測量の原理に従って指示部材によって指示された座標位置を検知する技術が開示されている。
【０００４】
また、例えば、発光ダイオードなどの発光素子とフォトダイオードなどの受光素子とをディスプレイの端部に対向するように配置し、素子ごとに指示部材による光の遮断を検知することで、指示部材によって指示された座標位置を検知する技術が開示されている（例えば特許文献１参照）。
【発明の概要】
【発明が解決しようとする課題】
【０００５】
しかしながら、上述のような従来技術では、指示部材がディスプレイ面に完全に接触する前、すなわち指示部材がディスプレイ面から少し浮いている状態でも、指示部材がディスプレイ面に接触したと判断されてしまうことがあった。そうすると、例えば、指示部材を使ってディスプレイ面に文字を書いた場合に、文字を構成する線が一筆書きのように繋がってしまったり、それぞれの線の書きはじめと書き終わりにひげ状のノイズが発生してしまうことがあった。すなわち、従来技術では、指示部材により文字を書いた場合に、ユーザが意図した筆記ができず操作性が低下してしまうという問題があった。
【０００６】
また、指示部材の先端に設けた接触検知機構により指示部材の入力等を検知する電子ペンもあるが、当該機構を設けることで指示部材のコストが上昇してしまうという問題があった。
【０００７】
本発明は、上記に鑑みてなされたものであって、特殊な機構を有していない単なる棒などの指示部材により指示された座標の検知を可能にして、操作性を向上させるとともにコストを抑える座標検知装置を提供することを目的とする。
【課題を解決するための手段】
【０００８】
上述した課題を解決し、目的を達成するために、本発明は、情報を表示する表示部と、前記表示部の周縁部に設けられ、前記表示部の表示面に沿って出射面から光を出射する発光素子と、前記出射面に対向する位置に前記発光素子から出射される光が入射される入射開口面と、前記入射開口面から入射して内部を伝播した光を出射させる出射開口面とを有し、空気より屈折率が高い配光制御部材と、前記表示部の周縁部に前記出射開口面に対向する位置に設けられ、前記出射開口面から出射された光を受光する受光素子と、を備え、前記配光制御部材は、前記出射開口面の面積が前記入射開口面の面積より小さい。
【発明の効果】
【０００９】
本発明によれば、特殊な機構を有していない単なる棒などの指示部材により指示された座標の検知を可能にして、操作性を向上させるとともにコストを抑えるという効果を奏する。
【図面の簡単な説明】
【００１０】
【図１】図１は、実施の形態１にかかる座標検知装置の構成を示す図である。
【図２】図２は、図１のＡ方向から見たディスプレイを示す図である。
【図３】図３は、図１のＢ方向から見たディスプレイの断面図である。
【図４】図４は、実施の形態１にかかる座標検知装置による座標検知処理の流れを示すフローチャートである。
【図５】図５は、ディスプレイと指示部材との関係を示す図である。
【図６】図６は、指示部材によりディスプレイ面に書かれた文字を示す説明図である。
【図７】図７は、図１のＢ方向から見たディスプレイの断面図である。
【発明を実施するための形態】
【００１１】
上述したように、従来から、ペンなどの指示部材がディスプレイ面（表示面）に近接したときに、再帰反射板から返る照明光が指示部材によって遮断されることによって生じる影の位置をセンサ等で検知し、その検知結果および三角測量の原理に従って指示部材によって指示された座標位置を検知する座標検知装置がある。また、発光ダイオードなどの発光素子とフォトダイオードなどの受光素子とをディスプレイの端部に対向するように配置し、素子ごとに指示部材による光の遮断を検知することで指示部材によって指示された座標位置を検知する座標検知装置がある。
【００１２】
この従来の座標検知装置では、いずれも指やスタイラス等の指示部材によって光が遮断された際の影の状態から、ディスプレイ面における指示部材の位置を検知している。これらの方式では、発光素子からディスプレイ面に平行に光を出射（照射）し、再帰反射板で出射経路と同様の経路を戻った光を受光したり、発光素子と対向する位置に配置された受光素子により光を受光する。
【００１３】
このような座標検知装置では、発光素子から照射される光束が有限の幅を持って照射される。すなわち、光束が発光素子から扇状に広がるように照射されるのではなく、一定の幅を保って照射される。そして、指示部材がディスプレイ面に接近して光束に挿入されると、有限の幅を持って照射される光が遮断される。光が遮断される量は、指示部材がディスプレイ面に近づくに連れて連続的に変化する。この変化量が所定の閾値を越えた場合に、指示部材がディスプレイ面に接触したと判断される。
【００１４】
このとき、指示部材が完全にディスプレイ面に接触する際にちょうどその閾値を超え、指示部材が少しでもディスプレイ面から離れたときはその閾値を下回るように、閾値を設定するのが好ましい。しかし、実際には、照明光量のばらつきや、ディスプレイ面の反りや発光素子と受光素子の取り付け位置のばらつきによるディスプレイ面と照明光束の相対位置のばらつきなどがある。
【００１５】
このため、指示部材がディスプレイ面に完全に接触する前に、光が遮断される量が所定量に達したら、指示部材がディスプレイ面に接触したものとして処理することがタッチパネルの設計で一般に行われている。このような状況では、指示部材がディスプレイ面に完全に接触する前、すなわち指示部材がディスプレイ面から少し浮いている状態でも、指示部材がディスプレイ面に接触したと判断されてしまうことがあった。
【００１６】
そうすると、例えば、指示部材を使ってディスプレイ面に文字を書いた場合に、文字を構成するそれぞれの線が一筆書きのように繋がってしまったり、それぞれの線の書きはじめと書き終わりに、ひげ状のノイズが発生してしまうことがあった。すなわち、従来の座標検知装置では、指示部材により文字を書いた場合に、ユーザが意図した筆記ができず操作性が低下していた。
【００１７】
また、指示部材のディスプレイ面への物理的な接触を、上述のような遮断した光の量ではなく、指示部材の先端に設けた接触検知機構により指示部材の入力等を検知する、いわゆる電子ペンがあった。電子ペンでは、具体的には、例えば機械的なマイクロスイッチ、圧力で抵抗値や容量値が変わることで圧力を検知する圧力センサなどが取り付けられている。
【００１８】
しかし、ディスプレイ面への接触位置（座標）は、特に接触検知機構などを有しない単なる「棒」を指示部材として検知することができる。従って、指示部材がディスプレイ面から少し浮いている状態でも、指示部材がディスプレイ面に接触したと判断されてしまうという問題を解消するためだけに電子ペンを用いた場合、指示部材のコストが上昇してしまう。
【００１９】
そこで、本実施の形態の座標検知装置では、特殊な機構を有していない単なる棒や指などの指示部材を用いた場合に、筆記文字が一筆書きのように繋がったりひげ状のノイズの発生を減少させることで、指示部材により指示された座標の検知を可能にし、操作性を向上させるとともにコストを抑えるものである。
【００２０】
以下に添付図面を参照して、座標検知装置の実施の形態を詳細に説明する。以下では、本実施の形態の座標検知装置を光学式タッチパネルに適用した例を示すが、ＰＣ（Personal  Computer）やタブレット等、ディスプレイ（表示部）を備えた端末に適用することができる。
【００２１】
（実施の形態１）
図１は、実施の形態１にかかる座標検知装置の構成を示す図である。本実施の形態の座標検知装置１は、情報を表示するディスプレイ２００と、ディスプレイ２００やディスプレイ２００に設けられた発光素子１０（１０ａ、１０ｂ）および受光素子２０（２０ａ、２０ｂ）等の制御を行う制御部１００とを主に備えている。
【００２２】
図１では、液晶パネルであるディスプレイ２００を正面から見た場合の概略図である。ディスプレイ２００は四角形状に形成されており、ディスプレイ２００の表示面であるディスプレイ面２（液晶パネルの前面）には、液晶パネルを外傷から保護する保護ガラス３が貼られている。以下では、保護ガラス３が貼られたディスプレイ面２を、単にディスプレイ面２として説明する。
【００２３】
そして、座標検知装置１は、指示部材４０によってディスプレイ２００のディスプレイ面２に触れることによって、情報の入力や選択を行う。この指示部材４０は、特殊な機構を有していない単なる棒などによって形成されている。
【００２４】
図１に示すように、ディスプレイ２００の周縁部（ベゼル：ディスプレイ面２を支持および保護する機能を持つ部分）には、発光素子１０（１０ａ、１０ｂ）と受光素子２０（２０ａ、２０ｂ）の組が互いに対向するように並んで配置されている。発光素子１０ａ、１０ｂは、ディスプレイ２００の隣接する２つの周縁部に設けられており、受光素子２０ａ、２０ｂは、発光素子１０ａ、１０ｂが設けられた２つの周縁部にそれぞれ対向する２つの周縁部に設けられている。
【００２５】
換言すると、図１に示すように、発光素子１０ａと受光素子２０ａの組と、発光素子１０ｂと受光素子２０ｂの組とは、それぞれを結ぶ直線がディスプレイ面２上で互いに直交するように設けられている。具体的には、ディスプレイ２００の縦方向の縁部には発光素子１０ａと受光素子２０ａの組が対向して設置されており、横方向の縁部には発光素子１０ｂと受光素子２０ｂの組が対向して設置されている。
【００２６】
以下では、発光素子１０ａ、１０ｂのいずれにも該当する説明の場合は、発光素子１０と称し、受光素子２０ａ、２０ｂも同様にいずれにも該当する説明の場合は、受光素子２０と称する場合がある。実施の形態では、発光素子１０は赤外線ＬＥＤ（Light  Emitting  Diode）で構成され、受光素子２０は赤外線フォトダイオードで構成されている例を示している。
【００２７】
発光素子１０は、ディスプレイ面２に沿って出射面１１（図３参照）から光が出射される。具体的には、発光素子１０は、光軸がディスプレイ面２に平行となるよう光が出射される。そして、発光素子１０は、対向して設置されている受光素子２０に向けて出射面１１が配置されている。
【００２８】
受光素子２０は、発光素子１０によってディスプレイ面２に沿って出射された光を受光する。具体的には、受光素子２０は、光軸がディスプレイ面２に平行になっている光が入射される。そして、受光素子２０は、対向して設置されている発光素子１０から光を受けるよう、発光素子１０に向けて受光面２１（図５参照）が配置されている。
【００２９】
制御部１００は、ディスプレイ２００を制御するものであって、発光素子１０を発光させ、その発光素子１０と対向する受光素子２０から、受光された光の検知信号を受信する。また、制御部１００は、受信した検知信号が予め定めた閾値以下である受光素子２０があるか否かを判断し、閾値以下である受光素子２０があった場合、ディスプレイ面２における当該発光素子１０と受光素子２０を結ぶ直線上に指示部材４０が接触（近接を含む）したと判断する。そして、制御部１００は、この処理を縦方向と横方向それぞれの対向する発光素子１０と受光素子２０の組に対して実行し、ディスプレイ面２における指示部材４０が接触した直交座標を算出することで、座標を特定する。
【００３０】
また、図１に示すように、発光素子１０ａの光の出射方向には、入射された光を伝播して出射する配光制御部材３０ａが発光素子１０ａに近接して配置されている。同様に、発光素子１０ｂの光の出射方向には、配光制御部材３０ｂが発光素子１０ｂに近接して配置されている。配光制御部材３０（３０ａ、３０ｂ）は、空気より屈折率が高い材質で形成されており、例えばアクリルなどである。以下では、配光制御部材３０ａ、３０ｂのいずれにも該当する説明の場合は、配光制御部材３０と称する場合がある。
【００３１】
図２は、図１のＡ方向から見たディスプレイを示す図である。図２で示しているディスプレイ２００は、ディスプレイ面２より上方から見た斜視図となっている。図３は、図１のＢ方向から見たディスプレイの断面図である。
【００３２】
以下では、ディスプレイ２００の縦方向に配置されている発光素子１０ａ、受光素子２０ａ、および配光制御部材３０ａの組み合わせでも、ディスプレイ２００の横方向に配置されている発光素子１０ｂ、受光素子２０ｂ、および配光制御部材３０ｂの組み合わせでも該当する場合、単に発光素子１０、受光素子２０、配光制御部材３０として説明する。
【００３３】
図３に示すように、配光制御部材３０の入射開口面３１は、発光素子１０から出射される光が入射される面であって、発光素子１０の光の出射面１１に対向する位置に発光素子１０に近接して設けられている。また、入射開口面３１は、ディスプレイ面２と交差する方向、例えばディスプレイ面２と直交する方向（ディスプレイ面２の法線方向）に設けられている。
【００３４】
さらに、入射開口面３１の面積は、発光素子１０の出射面１１の面積以上で形成されている。すなわち、入射開口面３１の面積は、発光素子１０の出射面１１を覆うように、発光素子１０の出射面１１の面積と同等もしくは大きく形成されており、出射面１１から出射される光を外部に漏らすことなく入射開口面３１に入射されるようになっている。
【００３５】
配光制御部材３０の出射開口面３２は、入射開口面３１から入射して配光制御部材３０の内部を伝播した光を出射させる面であって、受光素子２０の受光面２１（図５参照）に対向する位置に設けられている。また、出射開口面３２は、ディスプレイ面２と交差する方向、例えばディスプレイ面２と直交する方向（ディスプレイ面２の法線方向）に設けられている。
【００３６】
そして、配光制御部材３０の出射開口面３２の面積は、入射開口面３１の面積に比べて小さくなっている。従って、出射開口面３２におけるディスプレイ面２と直交する方向（法線方向）の高さ（長さ）は、入射開口面３１におけるディスプレイ面２と直交する高さ（長さ）に比べて低く（短く）形成されている。
【００３７】
配光制御部材３０のディスプレイ面２に貼られている保護ガラス３と接する面、すなわち配光制御部材３０の底面３３と、配光制御部材３０の天面（上面）３４とは、図３で示すように平行とならないように形成されている。つまり、配光制御部材３０の天面３４は、光の進行方向に向かうに連れて下がるように傾斜されている。従って、図２、３に示すように、配光制御部材３０は、入射開口面３１、出射開口面３２、底面３３、および天面３４に対して直交する面（または断面）が台形となっており、角柱状に形成されている。
【００３８】
次に、本実施の形態にかかる座標検知装置１による座標検知処理について説明する。図４は、実施の形態１にかかる座標検知装置による座標検知処理の流れを示すフローチャートである。
【００３９】
まず、制御部１００は、発光素子１０を１つずつ順番に高速で切り替えながら発光させる（ステップＳ２）。そして、制御部１００は、ある１つの発光素子１０が発光しているとき、その発光素子１０と対向する受光素子２０の検知信号を受信する（ステップＳ４）。
【００４０】
次に、制御部１００は、受信した検知信号が予め定めた閾値以下の受光素子２０があるか否かを判断する（ステップＳ６）。そして、制御部１００は、検知信号が閾値以下の受光素子２０がなかった場合（ステップＳ６：Ｎｏ）、そのまま処理を終了する。
【００４１】
一方、制御部１００は、検知信号が閾値以下の受光素子２０があった場合（ステップＳ６：Ｙｅｓ）、ディスプレイ面２における当該発光素子１０と受光素子２０を結ぶ直線上に指示部材４０が接触（近接を含む）したと判断する。
【００４２】
そして、制御部１００は、この処理を縦方向と横方向それぞれの対向する発光素子１０と受光素子２０の組に対して実行し、ディスプレイ面２における指示部材４０が接触した直交座標を算出することで、座標を特定する（ステップＳ８）。
【００４３】
次に、本実施の形態の座標検知装置１において、発光素子１０から出射される光と配光制御部材３０との関係について説明する。座標検知装置１では、まず、発光素子１０の出射面１１から出射された光は、配光制御部材３０の入射開口面３１に入射する。次に、配光制御部材３０内部に入射した光は、配光制御部材３０内部を反射伝播して、配光制御部材３０の出射開口面３２から対向する受光素子２０に向けて出射される。
【００４４】
このとき、配光制御部材３０は屈折率が高い材質で形成されているため、配光制御部材３０の天面３４から漏れる光成分は低いか、もしくは外部に漏れる光成分はない。そして、発光素子１０の近傍であり、かつ光の出射方向に配光制御部材３０が設けられているため、発光素子１０から出射される光を受光素子２０側から見ると、配光制御部材３０の出射開口面３２から光が出射されているように見える。
【００４５】
また、配光制御部材３０の天面３４は、光の進行方向に向かうに連れて下がるように傾斜されている。このため、受光素子２０側から発光素子１０側を見ると、出射開口面３２から出射される光は、配光制御部材３０が設けられてないときに比べ、ディスプレイ面２により近い位置で進行し、かつ光の進行方向と直交する断面積（サイズ）がより小さく見えることになる。
【００４６】
次に、ディスプレイ２００と指示部材４０との関係について説明する。図５は、ディスプレイと指示部材との関係を示す図である。図５（ａ）は、配光制御部材３０が設けられていない従来のディスプレイ２００と指示部材４０との関係を示している。一方、図５（ｂ）は、配光制御部材３０が設けられている本実施の形態のディスプレイ２００と指示部材４０との関係を示している。
【００４７】
また、図６は、指示部材によりディスプレイ面に書かれた文字を示す説明図である。図６（ａ）は、配光制御部材３０が設けられていない従来のディスプレイ２００に対して書かれた文字である。一方、図６（ｂ）は、配光制御部材３０が設けられている本実施の形態のディスプレイ２００に対して書かれた文字である。なお、図６では、「目」という文字が書かれた例を示している。
【００４８】
図５（ａ）に示すように、従来のディスプレイ２００では、発光素子１０から出射された光である光束Ｌ１は、発光素子１０の出射面１１から出射された高さｈ１を保持したまま受光素子２０に入射される。
【００４９】
従って、ディスプレイ面２に対して指示部材４０がα位置まで近づいても光束Ｌ１に指示部材４０が挿入されないため、光の遮断は検知されない。そして、ディスプレイ面２に対して指示部材４０がβ位置およびγ位置まで近づいた場合、光束Ｌ１に指示部材４０が挿入されることになり、光の遮断が検知される。
【００５０】
つまり、ディスプレイ２００では、指示部材４０がβ位置まで近づいた場合、指示部材４０はディスプレイ面２に接触していないが、光の遮断を検知されることで接触したとみなされ、入力が行われたと判断されて座標が特定されてしまう。
【００５１】
従って、従来のディスプレイ２００では、指示部材４０がγ位置だけでなくβ位置に近づいた場合も、指示部材４０がディスプレイ面２に接触したと判断されるため、図６（ａ）に示すように、「目」という文字が一筆書きのように繋がってしまい、文字の書き始めや書き終わりにひげ状のノイズが発生してしまう。
【００５２】
一方、図５（ｂ）に示すように、本実施の形態のディスプレイ２００は、発光素子１０から出射される光の進行方向に配光制御部材３０が配置されている。このため、本実施の形態のディスプレイ２００では、発光素子１０から出射された光は、配光制御部材３０の入射開口面３１に入射して内部を伝播した後、出射開口面３２から出射される。この配光制御部材３０から出射された光である光束Ｌ２は、配光制御部材３０の出射開口面３２から出射された高さｈ２を保持したまま受光素子２０に入射される。ここで、配光制御部材３０は、天面３４が光の進行方向に向かうにつれて下るように傾斜されているため、光束Ｌ１の高さｈ１より光束Ｌ２の高さｈ２のほうが低くなる。
【００５３】
従って、ディスプレイ面２に対して指示部材４０がα位置およびβ位置まで近づいても光束Ｌ２に指示部材４０が挿入されないため、光の遮断は検知されない。そして、ディスプレイ面２に対して指示部材４０がγ位置まで近づいた場合、光束Ｌ２に指示部材４０が挿入されることになり、光の遮断が検知される。
【００５４】
このように、従来のディスプレイ２００では、指示部材４０がβ位置まで近づくと光の遮断が検知されてしまうが、本実施の形態にかかるディスプレイ２００では、指示部材がβ位置まで近づいても光の遮断を検知されることはない。つまり、指示部材４０がディスプレイ面２に接触していないβ位置では、指示部材４０が接触したとみなされることがないため、入力が行われたと判断されることもない。そして、指示部材４０がディスプレイ面２に接触するγ位置まで近づいた場合のみ、光の遮断が検知され、指示部材４０がディスプレイ面２に接触し入力が行われたと判断されて座標が特定される。
【００５５】
従って、本実施の形態にかかるディスプレイ２００では、指示部材４０がγ位置に近づいた場合のみ、指示部材４０がディスプレイ面２に接触したと判断されるため、図６（ｂ）に示すように、「目」という文字が一筆書きのように繋がったりひげ状のノイズが発生することが減少し、ユーザが意図した筆記ができる。
【００５６】
このように、実施の形態１にかかる座標検知装置１では、発光素子１０の光の出射方向に配光制御部材３０が配置されており、発光素子１０から出射された光は、配光制御部材３０に入射して内部を反射伝播した後、対向する受光素子２０に向けて出射される。この配光制御部材３０は、天面３４が光の進行方向に向かうにつれて下るように傾斜されているため、配光制御部材３０が配置されていない場合における光束Ｌ１の高さｈ１より、配光制御部材３０が配置されている場合における光束Ｌ２の高さｈ２のほうが低くなる。
【００５７】
従って、指示部材４０がディスプレイ面２に完全に接触する前、すなわち指示部材４０がディスプレイ面２から少し浮いている状態では、指示部材４０がディスプレイ面２に接触したと判断されにくくなる。このため、指示部材４０を使ってディスプレイ面２に文字を書いた場合に、文字を構成する線が一筆書きのように繋がってしまったりひげ状のノイズが発生することが減少し、ユーザが意図した筆記ができ操作性を向上させることができる。また、電子ペンなどのように、特殊な機構を有していない単なる棒などの指示部材４０を用いて座標を検知することができるため、コストを抑えることができる。
【００５８】
（実施の形態２）
実施の形態１の座標検知装置は、発光素子の光の出射方向に配光制御部材を配置したものであって、発光素子から出射された光が配光制御部材に入射した後、対向する受光素子に向けて出射される。配光制御部材から出射された光束は、配光制御部材を通過しない光束に比べて光の進行方向と直交する断面積が小さくなり、指示部材がディスプレイ面により近接した状態において指示部材がディスプレイ面に接触したと判断される。このため、指示部材によりディスプレイ面に書いた文字を構成する線が繋がってしまったり、ノイズが発生することを減少させ、ユーザが意図した筆記ができ操作性を向上させるものであった。
【００５９】
これに対し、本実施の形態の座標検知装置は、さらに、配光制御部材の天面に遮光部材を配置することで、配光制御部材の内部を反射する光が外部に漏れ出ることを抑制するものである。ここで、本実施の形態にかかるディスプレイは、実施の形態１のディスプレイ２００に部材を加えたものであり、実施の形態１と同符号の部材については説明を省略する。
【００６０】
図７は、図１のＢ方向から見たディスプレイの断面図である。図７に示すように、本実施の形態にかかるディスプレイ２００は、実施の形態１と同様にディスプレイ面２に保護ガラス３が貼られており、発光素子１０、配光制御部材３０、および受光素子２０（図１等参照）が配置されている。そして、本実施の形態のディスプレイ２００は、さらに遮光部材５０が配置されている。
【００６１】
遮光部材５０は、配光制御部材３０における底面３３（ディスプレイ面２に接する面）と対向する天面３４に接し、天面３４を覆うように設けられていることで、配光制御部材３０の内部から外部に向かう光（漏れる光）を遮光する。
【００６２】
このように、実施の形態２にかかる座標検知装置は、実施の形態１の効果に加え、配光制御部材３０の天面３４に遮光部材５０を設置することで、配光制御部材３０の内部から外部に漏れる光を抑制することができる。
【符号の説明】
【００６３】
１  座標検知装置
２  ディスプレイ面
３  保護ガラス
１０（１０ａ、１０ｂ）  発光素子
１１  出射面
２０（２０ａ、２０ｂ）  受光素子
２１  受光面
３０（３０ａ、３０ｂ）  配光制御部材
３１  入射開口面
３２  出射開口面
３３  底面
３４  天面
４０  指示部材
５０  遮光部材
１００  制御部
２００  ディスプレイ
【先行技術文献】
【特許文献】
【００６４】
【特許文献１】特許第２６７８２３１号公報
【図１】
2016103090.tif 000003
【図２】
2016103090.tif 000004
【図３】
2016103090.tif 000005
【図４】
2016103090.tif 000006
【図５】
2016103090.tif 000007
【図６】
2016103090.tif 000008
【図７】
2016103090.tif 000009